(57)【要約】【課題】モータを支持する支持部材に応力が集中しないようにして、支持部材の耐久性を高め、支持部材の材料費を減らすための空気調和機の室外機を提供する。【解決手段】送風ファン用モータの支持のために本体ケースの内部に設けられる支持部材を有する空気調和機の室外機において、前記支持部材は、前記本体ケースの底部に固定された下端から上方に所定長さで延長され、前記モータの固定のためのモータ固定部が設けられた直線部と、前記直線部の上部から円弧状に屈曲され、その端部が前記本体ケースの内面に固定される屈曲部とを含んでなる。【選択図】　　　　図３
2004125362.tif 000002
【特許請求の範囲】
【請求項１】
送風ファン用モータの支持のために本体ケースの内部に設けられる支持部材を有する空気調和機の室外機において、
前記支持部材は、前記本体ケースの底部に固定された下端から上方に所定長さで延長され、前記モータの固定のためのモータ固定部が設けられた直線部と、前記直線部の上部から円弧状に屈曲され、その端部が前記本体ケースの内面に固定される屈曲部とを含んでなることを特徴とする空気調和機の室外機。
【請求項２】
前記本体ケースの前面部には、空気の吐出のための吐出口が設けられ、前記屈曲部の端部が前記本体ケースの前面部の上側に固定されることを特徴とする請求項１記載の空気調和機の室外機。
【請求項３】
前記屈曲部の曲率半径が、前記本体ケースの前面部と前記支持部材の直線部間の離隔距離に相当するようになっていることを特徴とする請求項２記載の空気調和機の室外機。
【発明の詳細な説明】
【０００１】
【発明の属する技術分野】
本発明は空気調和機の室外機に関し、より詳しくは送風ファンの支持のための支持部材の構造を改善した空気調和機の室外機に関するものである。
【０００２】
【従来の技術】
一般に、分離型空気調和機は、建物内に設置される室内機と建物の外部に設置される室外機とから構成され、室内機と室外機は冷媒配管を介して互いに連結されるようになっている。通常、室内機は、室内熱交換器と室内空気の循環のための室内送風手段を備え、室外機は、圧縮機、室外熱交換器、外気の強制送風のために室外熱交換器を冷却させる室外送風手段を備えている。
【０００３】
このような空気調和機において、室外機は、図１に示すように、本体ケース１の後面と側面に、外気の吸入のための吸入孔２が形成され、この吸入孔２の内側に、外気と熱交換する熱交換器３が設けられる。また、本体ケース１の前面部には吐出口４が設けられ、本体ケース１の内部には外気を強制吸入して吐出口４側に送風する送風装置５が設けられる。
【０００４】
送風装置５は、軸流送風ファン６と、この送風ファン６を駆動させるモータ７と、このモータ７を支持する支持部材８とからなる。ここで、モータ７が固定される支持部材８は、上下方向に長く延長され、下端が本体ケース１の底部に固定される垂直支持部８ａと、この垂直支持部８ａの上端から前方に折曲され延長され、その先端が本体ケース１の前面部の上側に固定される水平支持部８ｂとからなる。このような支持部材８の構成は、送風ファン６を駆動するモータ７を安定に支持するためのものである。
【０００５】
ところが、このような従来の空気調和機の室外機は、モータ７を支持する支持部材８の垂直支持部８ａと水平支持部８ｂがほぼ垂直に折曲された形態であるため、モータ７が動作するときに発生する振動により、垂直支持部８ａと水平支持部８ｂが接続する折曲部８ｃに応力が集中する問題があり、長期間の使用時、垂直支持部８ａと水平支持部８ｂが接続する折曲部８ａに疲労による亀裂が生じる欠点があった。
【０００６】
また、従来の支持部材８は、製造に際して、垂直支持部８ａの一端を折曲して水平支持部８ｂを作るため、これを作るための母材が長くなければならない欠点があった。すなわち、従来の支持部材８の構造は折曲された垂直支持部８ａと水平支持部８ｂからなるため、材料費の面で不利であった。
【０００７】
【発明が解決しようとする課題】
従って、本発明はこのような問題点を解決するためになされたもので、本発明の目的は、モータを支持する支持部材に応力が集中しないようにして、支持部材の耐久性を高めた空気調和機の室外機を提供することにある。
【０００８】
本発明のほかの目的は、支持部材の材料費を減らすための空気調和機の室外機を提供することにある。
【０００９】
【課題を解決するための手段】
前記のような目的を達成するための本発明による空気調和機の室外機は、送風ファン用モータの支持のために本体ケースの内部に設けられる支持部材を有する空気調和機の室外機において、前記支持部材は、前記本体ケースの底部に固定された下端から上方に所定長さで延長され、前記モータの固定のためのモータ固定部が設けられた直線部と、前記直線部の上部から円弧状に屈曲され、その端部が前記本体ケースの内面に固定される屈曲部とを含んでなる。
【００１０】
前記本体ケースの前面部には、空気の吐出のための吐出口が設けられ、前記屈曲部の端部が前記本体ケースの前面部の上側に固定される。
【００１１】
前記屈曲部の曲率半径が、前記本体ケースの前面部と前記支持部材の直線部間の離隔距離に相当するようになっている。
【００１２】
【発明の実施の形態】
以下、本発明による好ましい実施形態を添付図面に基づいて詳細に説明する。
本発明による空気調和機の室外機は、図２及び図３に示すように、後面１１と一側面１２に、外気が吸入される吸入孔１３が形成され、前面１４に吐出口１５が形成される箱状の本体ケース１０を備える。そして、吸入孔１３が形成された後面１１と側面１２の内側には、吸入孔１３に近接するように、２面の折曲された通常の熱交換器１６が設けられる。よって、吸入孔１３を通じて本体ケース１０の内部に流入される外部空気が熱交換器１６を通過しながら熱交換することになる。
【００１３】
また、本体ケース１０の内部には、熱交換器１６の熱交換ができるように、一側に外気を強制に吸入して送風する送風装置２０が設けられ、他側に冷媒を高温、高圧で圧縮する圧縮機１８が設けられる。圧縮機１８が設けられる空間と送風装置２０が設けられる空間が区画板１９により区画される。
【００１４】
送風装置２０は、図３に示すように、本体ケース１０の内部空気を吐出口１５側に強制送風する軸流送風ファン２１と、この送風ファン２１を駆動させるモータ２２と、モータ２２を支持する支持部材３０とを含む。
【００１５】
また、支持部材３０は所定の幅及び長さを有する鉄板の成形により作られるもので、表面に複数の通孔３３が形成され、下部が本体ケース１０の内側底部に固定され、上部が本体ケース１０の上部に固定される。より詳細に説明すると、支持部材３０は、たいていその中央にモータ２２が固定できるようにモータ固定部３１ａが設けられ、本体ケース１０の底部に固定された下端から所定長さで上方に延長される直線部３１と、この直線部３１の上部から円弧状に屈曲されてから端部が本体ケース１０の前面１４の上側に固定される屈曲部３２とからなる。ここで、支持部材３０の屈曲部３２の曲率半径“Ｒ”は本体ケース１０の前面１４と支持部材３０の直線部３１間の離隔距離“Ｌ”に相当するようにするのが好ましい。直線部３１の下端は本体ケース１０の内側底板に設けられた固定部３４にネジ結合で固定され、屈曲部３２の上端は本体ケース１０の前面１４の上端内側にネジ結合で固定される。
【００１６】
このような支持部材３０は、送風ファン２１を駆動するモータ２２が安定に支持できるようにしたものであり、送風ファン２１を駆動するモータ２２により振動しても、支持部材３０の上部が円弧状の屈曲部３２で構成されているので、支持部材３０に応力が集中しないようにして、支持部材３０の耐久性を増大させたものである。また、このような支持部材３０は、支持部材３０の上部が円弧状の屈曲部３２となっているので、従来の折曲形の支持部材にくらべ、材料の長さを減らすことができ、材料費の面で有利になる。
【００１７】
このような構成の本発明による空気調和機の室外機の動作を説明するとつぎのようである。
【００１８】
モータ２２の動作により送風ファン２１が回転すると、外部の空気が本体ケース１０の吸入孔１３を通じて本体ケース１０の内部に吸入される。この際、吸入される空気は熱交換器１６を通過しながら熱交換器１６と熱交換を行い、熱交換された空気は本体ケース１０の前面１４の吐出口１５を通じて外部へ排出される。
【００１９】
この動作の間、モータ２２を支持している支持部材３０にはモータ２２から振動が伝達されるが、本発明は支持部材３０の上部が屈曲部３２となり、応力が集中しないので、支持部材３０の耐久性が著しく向上し、長期間使用しても支持部材３０の変形が生じなくなる。また、従来の支持部材に比べ、モータ２２を安定に支持することができる。
【００２０】
【発明の効果】
以上詳細に説明したように、本発明による空気調和機の室外機は、モータを支持する支持部材の上部が円弧状の屈曲部となっているため、支持部材に応力が集中しないので、従来にくらべ、支持部材の耐久性が格段に向上する効果がある。
【００２１】
また、本発明は、支持部材の上部が円弧状の屈曲部となっているため、支持部材の製造のための母材の長さを従来より減らすことができ、よって支持部材の材料費を減らすことができる。
【図面の簡単な説明】
【図１】従来の空気調和機の室外機の構成を示す断面図である。
【図２】本発明による空気調和機の室外機の構成を示す分解斜視図である。
【図３】本発明による空気調和機の室外機の構成を示す断面図である。
【符号の説明】
１０　本体ケース
１３　吸入孔
１５　吐出口
１６　熱交換器
１８　圧縮機
２０　送風装置
２１　送風ファン
２２　モータ
３０　支持部材
３１　支持部材の直線部
３２　支持部材の屈曲部
【図１】
2004125362.tif 000003
【図２】
2004125362.tif 000004
【図３】
2004125362.tif 000005